(57)【要約】【課題】マスク本体がシートから受ける力を上方と下方とで調整できるアイマスクを提供すること。【解決手段】アイマスク１は、両眼を覆う本体部２、及び本体部２の左右の両端にそれぞれ設けられる耳掛け部３，４を備え、耳掛け部３，４は、縦方向に関して、本体部２の中心より下方に位置する第１の耳掛け孔３ａ，４ａを有する。本体部２で両眼を覆い、本体部２の左右の両端にそれぞれ設けられた耳掛け部３，４の第１の耳掛け孔３ａ，４ａにそれぞれ右耳及び左耳を通してアイマスク１を装着した際に、第１の耳掛け孔３ａ，４ａが縦方向に関して本体部２の中心より下方に位置することで、本体部２により両眼及びそれらの周囲を均等な圧力で覆うことができる。【選択図】図１
2019051177.tif 000002
【特許請求の範囲】
【請求項１】
両眼を覆う本体部と、
前記本体部の左右の両端にそれぞれ設けられる耳掛け部と、
を備え、
前記耳掛け部は、左右方向に直交する上下方向に関して、前記本体部の中心より下方に位置する第１の耳掛け孔を有することを特徴とするアイマスク。
【請求項２】
前記耳掛け部は、前記本端部の上に折り重ね可能に前記本体部の両端に取り付けられることを特徴とする、請求項１に記載のアイマスク。
【請求項３】
前記耳掛け部は、上下方向に関して、前記本体部の中心近傍に位置する第２の耳掛け孔をさらに有することを特徴とする、請求項２に記載のアイマスク。
【請求項４】
前記本体部は、両眼上に位置する２つの開口を有することを特徴とする、請求項３に記載のアイマスク。
【請求項５】
前記本体部は、前記２つの開口の周囲、または両眼の位置する場所に温熱材又は冷却材を有することを特徴とする、請求４に記載のアイマスク。
【請求項６】
前記２つの開口は、前記耳掛け部を前記本体部の上に折り重ねた状態において、前記第２の耳掛け孔の内側に位置することを特徴とする、請求項５に記載のアイマスク。
【請求項７】
両眼を覆う本体部と、
前記本体部の左右の両端にそれぞれ設けられる耳掛け部と、
を備え、
前記本体部は、両眼上に位置する２つの開口を有することを特徴とする、アイマスク。
【請求項８】
前記耳掛け部は、左右方向に離間する第１及び第２の耳掛け孔を有することを特徴とする、請求項７に記載のアイマスク。
【発明の詳細な説明】
【技術分野】
【０００１】
本発明は、アイマスクに関する。
【背景技術】
【０００２】
両眼を遮光する、或いは両眼を温熱又は冷却してリラックスさせるアイマスクが利用されている。アイマスクは、例えば、両眼を覆うマスク本体とこの両端にループ状の紐からなる耳掛け部とを備え、マスク本体で両眼を覆い、耳掛け部の紐を両耳に掛けることで装着する。しかし、細い紐、不織布等からなる耳掛け部では、耳の一部に不快感を与えたり、使用者の顔の大きさ、骨格等の個人差が大きいためアイマスクが耳から離脱してしまったり、目の位置からずり落ちたりするおそれがある。
【０００３】
上記の問題について、紐以外に、開口部が設けられたシートから形成された耳掛け部を備えるアイマスクが知られている。この場合、マスク本体と点で接続せずに線で接続するシートであることにより、マスク本体がシートから受ける力（顔に圧着される圧力）が上方と下方と相違する。眼は耳よりも上方に存在することが多いため、上方のほうがシートが大きく伸長し、強い力を受けやすい。このため、マスク本体が顔にフィットしづらいという問題がある。これに基づき、アイマスクの顔への密着度が低下してしまい、温熱又は冷却の目的を著しく損なってしまうことがある。
【０００４】
そこで、特許文献１には、耳掛け部をマスク本体から下向きに傾斜させ、マスク本体がシートから受ける力を上方と下方とでほぼ等しくし、マスク本体が顔にフィットしやすくしたアイマスクが開示されている。
【先行技術文献】
【特許文献】
【０００５】
【特許文献１】特開２００８−２９５７７９号公報
【発明の概要】
【発明が解決しようとする課題】
【０００６】
本発明は、使用者の顔の大きさや形状（彫りの深さ、骨格など）に左右されずマスク本体がシートから受ける力を上方と下方とで調整できるアイマスクを提供することを課題とする。
【課題を解決するための手段】
【０００７】
本発明のアイマスクは、
両眼を覆う本体部と、
前記本体部の左右の両端にそれぞれ設けられる耳掛け部と、
を備え、
前記耳掛け部は、左右方向に直交する上下方向に関して、前記本体部の中心より下方に位置する第１の耳掛け孔を有することを特徴とする。
【０００８】
この特徴により、本体部で両眼を覆い、本体部の左右の両端にそれぞれ設けられた伸縮性素材より形成される耳掛け部の第１の耳掛け孔にそれぞれ左右の耳を通してアイマスクを装着した際に、第１の耳掛け孔が上下方向に関して本体部の中心より下方に位置することで、マスク本体がシートから受ける力を上方と下方とで調整できる。
【０００９】
本発明のアイマスクは、
前記耳掛け部は、前記本端部の上に折り重ね可能に前記本体部の両端に取り付けられることを特徴とする。
【００１０】
この特徴により、耳掛け部を本体部の上に折り重ねて、アイマスクをコンパクトに折り畳むことができる。
【００１１】
本発明のアイマスクは、
前記耳掛け部は、上下方向に関して、前記本体部の中心近傍に位置する第２の耳掛け孔をさらに有することを特徴とする。
【００１２】
この特徴により、本体部で両眼を覆い、本体部の左右の両端にそれぞれ設けられた耳掛け部の第２の耳掛け孔にそれぞれ左右の耳を通してアイマスクを装着した際に、第２の耳掛け孔が上下方向に関して本体部の中心近傍に位置することで、本体部により両眼及びそれらの周囲を本体部の上方に対して下方を小さい圧力で覆うことができる。また、第１及び第２の耳掛け孔を使い分けることで、圧力を調整してアイマスクを装着することができる。（例えば図１参照）
【００１３】
本発明のアイマスクは、
前記本体部は、両眼上に位置する２つの開口を有することを特徴とする。
【００１４】
この特徴によれば、２つの開口を両眼上に位置することで、本体部により視界を確保しつつ両眼の周囲を覆うことができる。
【００１５】
本発明のアイマスクは、
前記本体部は、前記２つの開口の周囲、または両眼の位置する場所に温熱材又は冷却材を有することを特徴とする。
【００１６】
この特徴によれば、両眼の周囲を覆いつつ、温熱又は冷却することができる。
【００１７】
本発明のアイマスクは、
前記２つの開口は、前記耳掛け部を前記本体部の上に折り重ねた状態において、前記第２の耳掛け孔の内側に位置することを特徴とする。
【００１８】
この特徴によれば、生産段階において、本体部に２つの開口を容易に設けることができる。
【００１９】
本発明のアイマスクは、
両眼を覆う本体部と、
前記本体部の左右の両端にそれぞれ設けられる耳掛け部と、
を備え、
前記本体部は、両眼上に位置する２つの開口を有することを特徴とする。
【００２０】
この特徴によれば、本体部で両眼を覆い、２つの開口を両眼上に位置することで、本体部により視界を確保しつつ両眼の周囲を覆うことができる。
【００２１】
本発明のアイマスクは、
前記耳掛け部は、左右方向に離間する第１及び第２の耳掛け孔を有することを特徴とする。
【００２２】
この特徴によれば、本体部の左右の両端にそれぞれ設けられた耳掛け部を用いてアイマスクを装着する際、耳掛け部が有する左右方向に離間する第１及び第２の耳掛け孔のいずれかに左右の耳を通すことで、使用者の頭部の大きさに合わせて耳掛け孔の位置を選んでアイマスクを装着することができる。
【発明の効果】
【００２３】
本発明によれば、マスク本体がシートから受ける力を上方と下方とで調整できるアイマスクを提供することができる。また、マスク本体がシートから受ける力が上方で下方よりも強くして安定させるアイマスクを提供することもできる。
【図面の簡単な説明】
【００２４】
【図１】図１は、アイマスクの構成を、裏面側から、耳掛け部を開いた状態において示す図である。
【図２】図２は、アイマスクの構成を、裏面側から、耳掛け部を閉じた状態において示す図である。
【図３】図３は、眼と耳との位置関係を示す図である。
【図４】図４は、耳掛け部の第１の耳掛け孔に耳を通してアイマスクを装着した状態を示す図である。
【図５】図５は、耳掛け部の第２の耳掛け孔に耳を通してアイマスクを装着した状態を示す図である。
【図６】図６は、アイマスクの構成を、裏面側から、耳掛け部を開いた状態において示す図である。
【発明を実施するための形態】
【００２５】
以下、本発明の実施例について説明する。
【実施例１】
【００２６】
図１及び図２に、アイマスク１の構成を示す。ここで、図１は、アイマスク１を、裏面側から、耳掛け部３，４を開いた状態において示す。また、図面上下方向に関するアイマスク１の中心Ｌを一点鎖線を用いて示す。図２は、アイマスク１を、裏面側から、耳掛け部３，４を閉じた状態において示す。図１等において、上下方向を縦方向、左右方向を横方向と呼ぶ。アイマスク１は、本体部２及び耳掛け部３，４を備える。
【００２７】
本体部２は、両眼を覆うシート状の部材であり、左右対称の２つの半部を有する。２つの半部は、横方向に延びる流線状の上辺、上辺の両端から下方にそれぞれ異なる長さで直線状に延びる２つの側辺、２つの側辺の下端を結ぶ円弧状の下辺からなる形状を有し、それぞれの縦方向の中心Ｌ（本体部の上縁と下縁の中間）に外上向きに長手を向ける略楕円形状の開口２ａ，２ｂが形成されている。２つの半部は、２つの側辺のうちの短い辺を互いに接続することで、２つの開口２ａ，２ｂが左右に並び、また横方向に中央の下部に鼻用空間２ｃを形成する。それにより、アイマスク１を装着した際に、２つの開口２ａ，２ｂを両眼上に位置することでこれらが視界を確保する窓となり、視界を確保しつつ本体部２により両眼及びその周囲を覆うことができ、鼻用空間２ｃ内に装着者の鼻を収めることで目の下に隙間ができることなく本体部２を両眼上に位置決めすることができる。
【００２８】
本体部２は、シート材から形成される。シート材は、単一のシートに限らず、複数のシートを重ねて構成してもよい。また、開口２ａ，２ｂの周囲に収容袋２ｄ，２ｅを設けて、その内部に温熱材又は冷却材を収容してもよい。２つの開口２ａ，２ｂを装着者の両眼上に位置してアイマスク１を装着することで、収容袋２ｄ，２ｅ内の温熱材又は冷却材により両眼の周囲を温める又は冷やすことでリラックス効果、疲労回復効果を得ることができる。
【００２９】
耳掛け部３，４は、本体部２で両眼上に固定するためのそれぞれ本体部２の右半部及び左半部と略左右対称の形状を有するシート状の部材であり、本体部２の左右の両端に上下に連続して接続して、本体部２の上に折り重ね可能に、それぞれ設けられている。図２より分かるように、耳掛け部３，４をそれぞれ左及び右に折り曲げると、本体部２と略同形状をなしてその上に重なる。それにより、アイマスク１をコンパクトに折り畳むことができる。
【００３０】
なお、耳掛け部３，４を本体部２の上に折り重ねた状態において、本体部２の２つの開口２ａ，２ｂはそれぞれ第２の耳掛け孔３ｂ，４ｂの内側に位置する（図２参照）。これにより、アイマスク１を生産する際に、耳掛け部３，４を本体部２上に折り重ねた状態で打ち抜き機を用いることができ、本体部に２つの開口２ａ，２ｂを容易に設けることができる。
【００３１】
耳掛け部３，４は、それぞれ、第１の耳掛け孔３ａ，４ａ及び第２の耳掛け孔３ｂ，４ｂを有する。以下、第１の耳掛け孔３ａ，４ａと第２の耳掛け孔３ｂ，４ｂとの使い分けについて説明する。
【００３２】
図３に、眼と耳との位置関係を示す。耳６は垂直方向について眼５よりも下方の位置にある。
【００３３】
第１の耳掛け孔４ａを耳に掛ける場合、図４に示すように、本体部２で両眼を覆い、耳掛け部３，４の第１の耳掛け孔３ａ，４ａにそれぞれ右耳及び左耳を通してアイマスク１を装着した際に、耳掛け部３，４は、おおよそ耳の位置にある。したがって、ユーザの顔の大きさによって（特に顔が小さめのユーザの場合でも）、アイマスク１が特定の方向にズレたり浮いたりすることなく、第１の耳掛け孔３ａ，４ａが耳６に掛けられる。この結果、本体部２の上縁２１と下縁２２とがほぼ同じ強さで顔面に押し付けられ、この２点で支えることで、アイマスク１を、顔表面でズレにくくしっかり固定することができる。
【００３４】
一方、第２の耳掛け孔４ｂを耳に掛ける場合、図５に示すように、第１の耳掛け孔４ａを耳に掛ける場合に比して、耳掛け部４が下方にある。この結果、例えば耳掛け部４は、伸長部４ｄが上方ほど大きく伸長し、本体部２の上縁２１が下縁２２よりも強く顔面に押し付けられる。これにより、第１の耳掛け孔４ａを使用した場合には顔の大きさなどによって装着時にきつすぎるならば、第２の耳掛け孔４ｂを使用することにより、下縁２２の締め付けがゆったりとした装着をすることができる。
【００３５】
以上のように、第１の耳掛け孔４ａを耳に掛ける場合と第２の耳掛け孔４ｂを耳に掛ける場合とで、顔にかかる圧力が相違する。
【００３６】
以上のフィット感と安定感とは、使用者の嗜好によっていずれを好むかが定まるほかに、ＴＰＯによって使い分けたい場合や、使用者の顔の大きさ・骨格等の個人差に応じて調整したい場合もある。第１及び第２の耳掛け孔を使い分けることで、１のアイマスクで圧力を調整してアイマスクを装着することができる。
【００３７】
以上詳細に説明したように、アイマスク１は、特許文献１に開示されたように両眼及びそれらの周囲を均等な圧力で覆ってフィット感を得ることができるとともに、使用者の顔の大きさ、骨格等の個人差に応じて、第１及び第２の耳掛け孔を使い分けることで、圧力を調整してアイマスクを装着することもできる。
【実施例２】
【００３８】
図６に、アイマスク１１の構成を、裏面側から、耳掛け部１３，１４を開いた状態において示す。アイマスク１１は、本体部２及び耳掛け部１３，１４を備える。
【００３９】
本体部２は、先述のアイマスク１が備える本体部２と同様に構成されている。本体部２は、両眼上に位置する２つの開口２ａ，２ｂを有し、それにより本体部２により視界を確保しつつ両眼の周囲を覆うことができる。
【００４０】
耳掛け部１３，１４は、本体部２で両眼上に固定するためのシート状の部材であり、先述のアイマスク１が備える耳掛け部３，４と同様の素材を用いて同様の外形状に成形され、本体部２の右端部及び左端部にそれぞれを本体部２の上に折り重ね可能に取り付けられている。耳掛け部１３，１４は、それぞれ、左右方向に離間する耳掛け孔１３ａ，１３ｂ及び１４ａ，１４ｂを有する。ここで、耳掛け孔１３ａ，１３ｂは、縦方向を右斜めに長半径を向ける楕円形状を有し、耳掛け孔１４ａ，１４ｂは、縦方向を左斜めに長半径を向ける楕円形状を有する。それにより、本体部２で両眼を覆い、耳掛け孔１３ａ，１４ａ又は１３ｂ，１４ｂのいずれかに左右の耳を通すことで、使用者の使用者の顔の大きさ、骨格等の個人差に合わせて耳掛け孔の位置を選んでアイマスク１１を装着することができる。
【００４１】
ここで、耳掛け部１３，１４の形状は、実施例１、２に示されたもの以外にも、任意の形状としてよい。本体部２によって視界を確保しつつ両眼の周囲を覆うことができるものである。
【産業上の利用可能性】
【００４２】
本発明のアイマスクは、フィット感を得ることができる。また、発明の実装の形態により、安定感を得ることもできる。多くの個人による利用が考えられる。
【符号の説明】
【００４３】
１      アイマスク
２      本体部
２ａ    開口
２ｂ    開口
２ｃ    鼻用空間
２ｄ    収容袋
２ｅ    収容袋
２１    上縁
２２    下縁
３      耳掛け部
３ａ    第１の耳掛け孔
３ｂ    第２の耳掛け孔
３ｃ    辺
４      耳掛け部
４ａ    第１の耳掛け孔
４ｂ    第２の耳掛け孔
４ｃ    辺
４ｄ    伸長部
５      眼
６      耳
１１    アイマスク
１３    耳掛け部
１３ａ  第１の耳掛け孔
１３ｂ  第２の耳掛け孔
１４    耳掛け部
１４ａ  第１の耳掛け孔
１４ｂ  第２の耳掛け孔
【図１】
2019051177.tif 000003
【図２】
2019051177.tif 000004
【図３】
2019051177.tif 000005
【図４】
2019051177.tif 000006
【図５】
2019051177.tif 000007
【図６】
2019051177.tif 000008